(57)【特許請求の範囲】
【請求項１】
設定温度が冷蔵温度帯となる貯蔵室と、
上面の一部が前記貯蔵室の下面を構成する仕切部品と、
前記貯蔵室に空気を供給する風路を開閉するダンパー装置と、
を備え、
前記仕切部品は、
前記貯蔵室の前記下面を構成する箇所の後方に、上部が開口しており前記ダンパー装置の下部部分を収納する凹部が形成され、
前記凹部の前方に、上方へ突出する堰堤を備え、
前記ダンパー装置は、
前記貯蔵室に空気を供給する風路の一部である第１風路が形成され、
該第１風路を開閉するバッフルと、
モータを有し、該モータの駆動力によって前記バッフルを動作させる駆動部と、
該駆動部に接続されたリード線と、
を備え、
前記バッフルが前記第１風路を閉じている状態においては、前記バッフルと前記第１風路の周縁部との接触部分は前記堰堤よりも下方に配置されており、
前記リード線のうち、平面視において前記凹部内に位置する部分は、前記堰堤よりも上方に配置されている冷蔵庫。
【請求項２】
前記風路の一部である第２風路が形成され、前記ダンパー装置を上方から覆う断熱部品を備え、
前記リード線は、前記駆動部に接続された側の端部である第１端部と、該第１端部と反対側の端部である第２端部とを備え、
前記リード線を前記第１端部から前記第２端部に向かって見ていった際、
前記リード線は、前記第２風路を通って前記断熱部品の上面部に延び、
前記断熱部品の前記上面部に配置されている前記リード線は、前記第２風路から前記上面部の前端部に延び、該前端部に沿って配置されている請求項１に記載の冷蔵庫。
【請求項３】
前記断熱部品は、溝として、
前記第２風路の内壁部に形成された第１溝と、
該断熱部品の前記上面部に形成され、前記第１溝と前記上面部の前記前端部とに連通する第２溝と、
前記上面部において該前端部に沿って形成され、前記第２溝と連通する第３溝と、
を備え、
前記リード線は、前記溝に配置されている請求項２に記載の冷蔵庫。
【請求項４】
前記第１溝及び前記第２溝のうちの少なくとも一部において、前記リード線と前記溝の内壁面との間を閉塞する第１シール材と、
前記第１溝及び前記第２溝を上方から覆う第２シール材と、
を備えた請求項３に記載の冷蔵庫。
【請求項５】
前記バッフルが前記周縁部に上方から接触し、前記第１風路を閉じる構成である請求項１〜４のいずれか一項に記載の冷蔵庫。
【発明の詳細な説明】
【技術分野】
【０００１】
本発明は、貯蔵室に空気を供給する風路の開閉を行うダンパー装置の動作不良の抑制を図った冷蔵庫に関する。
【背景技術】
【０００２】
近年、複数の貯蔵室を有する定格内容積３００Ｌ以上の冷蔵庫においては、ワークトップ型の冷蔵庫が主流となっている。ワークトップ型の冷蔵庫では、冷蔵室が最上段に配置され、他の貯蔵室が冷蔵室の下方に配置されている。冷蔵室の前面側の開口部は、例えば、観音開き式の扉で開閉自在となっている。また、他の貯蔵室は、例えば、引き出し式の扉で開閉自在となっている。他の貯蔵室とは、例えば、製氷室、小型冷凍室、冷凍室、及び野菜室である。また、使用者のライフスタイルに合わせて週末のまとめ買い時にも全ての食品が収納できるように、冷蔵庫の大容量化がトレンドとなってきている。【０００３】
多くの冷蔵庫では、冷蔵庫の各貯蔵室内を所定の温度に保つため、以下のような構成が採用されている。詳しくは、貯蔵室には、該貯蔵室内の温度を検出する温度センサが設けられている。また、冷却器で冷却された空気である冷気を貯蔵室へ供給する風路には、該風路を開閉するダンパー装置が設けられている。このダンパー装置には、冷気を貯蔵室へ供給する風路の一部が形成されている。また、ダンパー装置は、該風路を開閉するバッフルと、モータの駆動力によってバッフルを動作させる駆動部とを備えている。そして、ダンパー装置が冷気を貯蔵室へ供給する風路を閉じる場合、バッフルがダンパー装置内の風路の周縁部に上方から接触し、風路を閉じる。【０００４】
冷蔵庫は、内箱及び外箱で構成される筐体の内部を仕切部品で仕切られることにより、筐体の内部が複数の貯蔵室に区画されている。ここで、従来の冷蔵庫には、仕切部品にダンパー装置を埋め込み、貯蔵室の容量を増大させているものも提案されている（例えば特許文献１参照）。詳しくは、上面の一部が貯蔵室の下面を構成する仕切部品には、貯蔵室の下面を構成する箇所の後方に、ダンパー装置の下部部分を収納する凹部が形成されている。また、該凹部が形成された仕切部品には、該凹部に水分が侵入することを抑制するため、該凹部の前方に、上方へ突出する堰堤を備えている。そして、ダンパー装置は、少なくとも下部が該凹部に埋め込まれて設置されている。このようにダンパー装置を設置した場合、バッフルがダンパー装置内の風路を閉じた状態においては、バッフルとダンパー装置内の風路の周縁部との接触部分は、堰堤よりも下方に配置されることとなる。
【先行技術文献】
【特許文献】
【０００５】
【特許文献１】特開２０１３−８７９６５号公報
【発明の概要】
【発明が解決しようとする課題】
【０００６】
上述のように、バッフルとダンパー装置内の風路の周縁部とが接触することで、冷気を貯蔵室へ供給する風路が閉じられる。すなわち、風路を閉じている状態では、バッフルにおける風路の周縁部と接触する側の面が、冷却器で生成された冷気で冷却された状態となる。この際、冷却器で生成される冷気温度は−２０℃程度と低い。このため、バッフルにおける風路の周縁部と接触する側の面に水が付着した場合、当該水が凍って、バッフルとダンパー装置内の風路の周縁部とが固着し、バッフルが動作不良となる場合がある。そして、このようにバッフルが動作不良となると、貯蔵室に冷気を供給できなくなってしまう。【０００７】
また上述のように、仕切部品にダンパー装置を埋め込んで設置した場合、バッフルがダンパー装置内の風路を閉じた状態においては、バッフルとダンパー装置内の風路の周縁部との接触部分は、堰堤よりも下方に配置されることとなる。すなわち、仕切部品にダンパー装置を埋め込んで設置した場合、バッフルにおける風路の周縁部と接触する側の面に水が付着しやすい条件となっている。また、設定温度が冷蔵温度帯となる貯蔵室の下面を構成する仕切部品にダンパー装置が埋め込まれている場合、当該貯蔵室において水がこぼれた際、貯蔵室内で水が凍結しないため、該水が堰堤を乗り越えやすい。したがって、設定温度が冷蔵温度帯となる貯蔵室の下面を構成する仕切部品にダンパー装置が埋め込まれている場合、水が堰堤を乗り越えた場合でも、バッフルにおける風路の周縁部と接触する側の面に水が付着しないようにすることが望ましい。なお、冷蔵温度帯とは、０℃よりも高い温度帯である。すなわち、設定温度が冷蔵温度帯となる貯蔵室とは、設定温度が０℃よりも高い温度となっている貯蔵室である。【０００８】
ここで、上述のように、ダンパー装置の駆動部は、モータの駆動力によってバッフルを動作させる。このため、モータへの電力供給及びモータへの制御信号の送信等を行うため、ダンパー装置の駆動部にリード線を接続する必要がある。このリード線は、ダンパー装置周辺の断熱部品に形成された溝に収納されながら、引き回される。この際、従来、リード線の引き回し方は、風路の流路断面積の確保、及びダンパー装置が埋め込まれる凹部の形状が決定した後、決定される。このため、リード線を収納する溝の配置には、設計自由度が少ない。したがって、従来、平面視において凹部内に位置するリード線部分は、堰堤よりも低い箇所に引き回されることがあった。このため、設定温度が冷蔵温度帯となる貯蔵室の下面を構成する仕切部品にダンパー装置が埋め込まれている従来の冷蔵庫においては、堰堤を乗り越えた水がリード線を収納する溝を伝ってバッフルにおける風路の周縁部と接触する側の面に付着し、バッフルとダンパー装置内の風路の周縁部とが固着し、バッフルが動作不良となる可能性があった。すなわち、設定温度が冷蔵温度帯となる貯蔵室の下面を構成する仕切部品にダンパー装置が埋め込まれている従来の冷蔵庫においては、未だ、凍結によるバッフルの動作不良を抑制する改善を行った方がよいという課題があった。【０００９】
本発明は、上述の課題を解決するためになされたものであり、設定温度が冷蔵温度帯となる貯蔵室の下面を構成する仕切部品にダンパー装置が埋め込まれている冷蔵庫において、凍結によるバッフルの動作不良を従来よりも抑制することができる冷蔵庫を得ることを目的とする。
【課題を解決するための手段】
【００１０】
本発明に係る冷蔵庫は、設定温度が冷蔵温度帯となる貯蔵室と、上面の一部が前記貯蔵室の下面を構成する仕切部品と、前記貯蔵室に空気を供給する風路を開閉するダンパー装置と、を備え、前記仕切部品は、前記貯蔵室の前記下面を構成する箇所の後方に、上部が開口しており前記ダンパー装置の下部部分を収納する凹部が形成され、前記凹部の前方に、上方へ突出する堰堤を備え、前記ダンパー装置は、前記貯蔵室に空気を供給する風路の一部である第１風路が形成され、該第１風路を開閉するバッフルと、モータを有し、該モータの駆動力によって前記バッフルを動作させる駆動部と、該駆動部に接続されたリード線と、を備え、前記バッフルが前記第１風路を閉じている状態においては、前記バッフルと前記第１風路の周縁部との接触部分は前記堰堤よりも下方に配置されており、前記リード線のうち、平面視において前記凹部内に位置する部分は、前記堰堤よりも上方に配置されている。
【発明の効果】
【００１１】
本発明に係る冷蔵庫においては、ダンパー装置の駆動部に接続されたリード線のうち、平面視においてダンパー装置の下部部分を収納する凹部内に位置する部分は、堰堤よりも上方に配置されている。このため、本発明に係る冷蔵庫においては、堰堤を乗り越えた水がリード線を収納する溝を伝ってバッフルにおける第１風路の周縁部と接触する側の面に付着することを、従来よりも抑制できる。したがって、本発明に係る冷蔵庫は、凍結によるバッフルの動作不良を従来よりも抑制することができる。
【図面の簡単な説明】
【００１２】
【図１】本発明の実施の形態に係る冷蔵庫の正面図である。
【図２】図１のＡ−Ａ断面図である。
【図３】本発明の実施の形態に係る冷蔵庫のダンパー装置を前方左側から見た分解斜視図である。
【図４】本発明の実施の形態に係る冷蔵庫のダンパー装置を右側から見た縦断面図である。
【図５】本発明の実施の形態に係る冷蔵庫のダンパー装置を後方右側から見た斜視図である。
【図６】本発明の実施の形態に係る冷蔵庫のダンパー装置部ＡＳＳＹを後方右側から見た分解斜視図である。
【図７】本発明の実施の形態に係る冷蔵庫のダンパー装置部ＡＳＳＹを前方左側から見た斜視図である。
【図８】本発明に係る冷蔵庫の仕切部品及びダンパー装置部ＡＳＳＹを前方右側から見た分解斜視図である。
【図９】本発明に係る冷蔵庫の仕切部品の一部及びダンパー装置部ＡＳＳＹを前方左側から見た分解斜視図である。
【図１０】本発明に係る冷蔵庫の仕切部品の一部及びダンパー装置部ＡＳＳＹを前方左側から見た分解斜視図である。
【図１１】本発明に係る冷蔵庫の仕切部品の一部及びダンパー装置部ＡＳＳＹを前方左側から見た斜視図である。
【図１２】本発明に係る冷蔵庫の仕切部品の一部及びダンパー装置部ＡＳＳＹを右側から見た縦断面図である。
【図１３】本発明の実施の形態に係る冷蔵庫の筐体及び仕切部品を前方右側から見た斜視図であり、筐体に仕切部品を固定する前の状態を示す図である。
【図１４】図１３に示すＡ部の平面図である。
【図１５】本発明の実施の形態に係る冷蔵庫の仕切部品の収納部近傍を前方右側から見た斜視図であり、筐体に仕切部品を固定した後の状態を示す図である。
【図１６】本発明に係る冷蔵庫の仕切部品の一部及びダンパー装置部ＡＳＳＹを右側から見た縦断面図である。
【図１７】本発明の実施の形態に係る冷蔵庫のダンパー装置部ＡＳＳＹを前方左側から見た斜視図である。
【図１８】本発明に係る冷蔵庫のダンパー装置部ＡＳＳＹの断熱部品に形成された第２溝近傍の縦断面図である。
【図１９】本発明の実施の形態に係る冷蔵庫において冷蔵室の背面を構成する風路部品を前方右側から見た斜視図である。
【図２０】本発明の実施の形態に係る冷蔵庫において冷蔵室の背面を構成する風路部品を後方右側から見た斜視図である。
【図２１】本発明の実施の形態に係る冷蔵庫において冷蔵室の背面を構成する風路部品を前方右側から見た分解斜視図である。
【発明を実施するための形態】
【００１３】
実施の形態．
以下、図面に基づき、本発明に係る冷蔵庫の一例について説明する。
【００１４】
図１は、本発明の実施の形態に係る冷蔵庫の正面図である。図２は、図１のＡ−Ａ断面図である。
冷蔵庫１００は、前面部が開口した箱形形状である筐体９０を備えている。この筐体９０は、該筐体９０の外周面部を構成する外箱５３と、該筐体９０の内周面部を構成する内箱５２とを備えている。また、外箱５３と内箱５２との間には、発泡ウレタン等の断熱材３４が設けられている。なお、外箱５３と内箱５２との間に、断熱材３４として真空断熱材を設けてもよい。
【００１５】
筐体９０の内部は、仕切部品によって仕切られている。これにより、筐体９０には、前面部に開口部を有する複数の貯蔵室が形成される。本実施の形態の場合、筐体９０の内部は、仕切部品３５、仕切部品３６、及び仕切部品３７によって縦方向に仕切られている。また、仕切部品３５と仕切部品３６との間も、図示せぬ仕切部品によって横方向に仕切られている。これにより、冷蔵庫１００は、貯蔵室として、冷蔵室１、製氷室２、小型冷凍室３、冷凍室４、及び野菜室５を備えている。
【００１６】
詳しくは、冷蔵室１は、貯蔵室の中で最上段に配置されている。すなわち、本実施の形態に係る冷蔵庫１００は、ワークトップ型の冷蔵庫となっている。製氷室２及び小型冷凍室３は、冷蔵室１の下方に配置されている。すなわち、仕切部品３５の上面の一部は、冷蔵室１の下面を構成する。ここで、冷蔵室１は、設定温度が冷蔵温度帯となる貯蔵室である。冷蔵温度帯とは、０℃よりも高い温度帯である。すなわち、設定温度が冷蔵温度帯となる貯蔵室とは、設定温度が０℃よりも高い温度となっている貯蔵室である。したがって、仕切部品３５は、上面の一部によって、設定温度が冷蔵温度帯となる貯蔵室の下面を構成している。また、仕切部品３５の下面の一部は、製氷室２及び小型冷凍室３の上面を構成する。また、仕切部品３６の上面の一部は、製氷室２及び小型冷凍室３の下面を構成する。冷凍室４は、製氷室２及び小型冷凍室３の下方に配置されている。すなわち、仕切部品３６の下面の一部は、冷凍室４の上面を構成する。また、仕切部品３７の上面の一部は、冷凍室４の下面を構成する。野菜室５は、冷凍室４の下方に配置されている。すなわち、仕切部品３７の下面の一部は、野菜室５の上面を構成する。なお、冷蔵室１、製氷室２、小型冷凍室３、冷凍室４、及び野菜室５は、冷蔵庫１００の貯蔵室の一例である。冷蔵庫１００に設けられる貯蔵室の種類及び配置は、上述の構成に限定されない。
【００１７】
これらの貯蔵室の前面部に形成された各開口部は、扉によって開閉自在に覆われている。具体的には、冷蔵室１の前面の開口部には、左扉６及び右扉７が設けられている。左扉６は、左側端部が筐体９０に回転自在に接続されている。右扉７は、右側端部が筐体９０に回転自在に接続されている。すなわち、冷蔵室１の前面の開口部は、観音開き式の扉によって開閉自在に覆われている。製氷室２の前面の開口部は、引き出し式の扉３３によって開閉自在に覆われている。小型冷凍室３の前面の開口部は、引き出し式の扉３０によって開閉自在に覆われている。冷凍室４の前面の開口部は、引き出し式の扉３１によって開閉自在に覆われている。野菜室５の前面の開口部は、引き出し式の扉３２によって開閉自在に覆われている。
【００１８】
冷蔵室１内には、高さ方向の異なる位置に、収納物を収納する複数のポケット２０が設けられている。本実施の形態では、３つのポケット２０が、左扉６及び右扉７のうちの少なくとも一方に取り付けられている。また、冷蔵室１内は、３つの棚１９で区画されている。そして、最下段となる棚１９の下方は、チルド室１７となっている。チルド室１７は、冷蔵室１の温度よりも低い温度に設定されている。例えば、冷蔵室１の温度が約３℃の場合、チルド室１７は、例えば約０℃に設定されている。このチルド室１７には、収納物を収納するケース１８が設けられている。また、小型冷凍室３には、収納物を収納するケース２５が設けられている。また、冷凍室４には、収納物を収納する上ケース２６及び下ケース２７が設けられている。また、野菜室５には、収納物を収納する上ケース２８及び下ケース２９が設けられている。
【００１９】
冷蔵庫１００は、各貯蔵室を冷却するために、冷凍サイクルを備えている。この冷凍サイクルは、一般的なもので、圧縮機１４、図示せぬ凝縮器、図示せぬ毛細管等の絞り機構及び冷却器１１が順次配管接続されて構成されている。すなわち、圧縮機１４で高温高圧に圧縮された冷媒は、凝縮器に送られ、主に冷蔵庫１００外に熱を放熱して凝縮していく。凝縮した冷媒は、絞り機構で減圧された後に冷却器１１に送られる。そして、冷却器１１に送られた冷媒は、冷却器１１の周囲の空気を冷却する。
【００２０】
冷却器１１は、冷凍室４の後方に形成された冷却器室９１に設けられている。冷却器室９１は、冷凍室４との間をファングリル１５によって仕切られている。すなわち、冷却器１１は、冷却器室９１内の空気を冷却する。また、冷却器室９１と各貯蔵室とは、風路で連通している。そして、冷却器室９１には、冷却器１１の下流側に庫内ファン１０が設けられている。すなわち、庫内ファン１０を駆動させることにより、冷却器１１で冷却された空気が循環し、各貯蔵室を冷却する。
【００２１】
例えば、筐体９０の後部には、風路部品２１が設けられている。風路部品２１は、冷蔵室１の背面を構成している。なお、上述のように、冷蔵室１内には、チルド室１７も形成されている。風路部品２１は、チルド室１７の背面も構成している。この風路部品２１には、風路２４が形成されている。また、風路部品２１には、風路２４と冷蔵室１とを連通する例えば複数の吹出口２２が形成されている。すなわち、冷却器室９１から風路２４に供給された冷気は、吹出口２２から冷蔵室１内へ吹き出される。また、風路２４は、後述するダンパー装置９に形成された風路等を介して、冷却器室９１と連通している。すなわち、風路２４及び吹出口２２は、後述するダンパー装置９に形成された風路等と共に、冷却器室９１から冷蔵室１に空気を供給する風路を構成する。なお、風路部品２１には、冷却器室９１からチルド室１７に空気を供給する風路も形成されている。本実施の形態では、風路部品２１には、冷却器室９１からチルド室１７に空気を供給する風路として、冷却器室９１に連通する後述の風路８０と、該風路８０とチルド室１７とを連通する吹出口２３とが形成されている。すなわち、冷却器室９１から風路８０に供給された冷気は、吹出口２３からチルド室１７内へ吹き出される。
【００２２】
ここで、冷却器１１で生成される冷気は、−２０℃程度となり、冷蔵室１の設定温度よりも低い。このため、風路部品２１の風路２４と冷却器室９１との間には、ダンパー装置９が設けられている。そして、冷却器室９１から冷蔵室１に空気を供給する風路をダンパー装置９によって開閉することにより、冷却器室９１から冷蔵室１に供給される冷気の量を調整し、冷蔵室１内の温度を設定温度近傍に保っている。
【００２３】
具体的には、冷蔵庫１００は、冷蔵室１内の温度を検出する温度センサ３８を備えている。温度センサ３８は、例えば、風路部品２１の表面に取り付けられている。なお、冷蔵室１内の温度を検出できれば、温度センサ３８の設置位置は任意である。また、ダンパー装置９は、ダンパー装置９に形成された風路を開閉するバッフル４５を備えている。また、冷蔵庫１００は、温度センサ３８の検出温度に基づいて、バッフル４５を動作させる制御基板１６を備えている。制御基板１６は、温度センサ３８の検出温度が冷蔵室１の設定温度となるように、バッフル４５を動作させて、冷却器室９１から冷蔵室１に供給される冷気の量を調整する。なお、冷蔵室１に供給された冷気は、図示せぬ戻り風路を通って冷却器室９１に戻り、冷却器１１によって再び冷却される。
【００２４】
本実施の形態では、制御基板１６は、バッフル４５の動作以外も制御している。例えば、本実施の形態に係る冷蔵庫１００においては、少なくとも一部の貯蔵室に、温度補償用のヒータが設けられている。また、本実施の形態に係る冷蔵庫１００においては、左扉６と右扉７との間に配置される仕切板８等に、露付き防止用のヒータが設置されている。制御基板１６は、これらのヒータへの通電も制御している。
【００２５】
ところで、従来の冷蔵庫には、冷凍室に供給する空気を冷却する冷却器と、冷蔵室に供給する空気を冷却する冷却器とを、別々に備えた冷蔵庫が存在する。このタイプの冷蔵庫では、冷却器によって冷蔵室の設定温度近傍の温度に空気を冷却し、該空気を冷蔵室に供給することができる。このため、このタイプの冷蔵庫は、冷蔵庫に供給する冷気の量を調整するダンパー装置が不要な場合が多い。しかしながら、このタイプの冷蔵庫は、それぞれの冷却器に対応して庫内ファンを備える必要がある。また、このタイプの冷蔵庫では、各冷却器へ流す冷媒の流量によって貯蔵室へ供給する空気の温度が決定されるので、各冷却器へ流す冷媒の流量の制御が非常に複雑になる。
【００２６】
一方、本実施の形態に係る冷蔵庫１００は、同一の冷却器１１によって冷却された空気を、冷蔵室１及び冷凍室４の双方に供給する。このため、上述のように、本実施の形態に係る冷蔵庫１００は、ダンパー装置９によって、冷蔵室１に供給される冷気の量を調整する必要がある。しかしながら、本実施の形態に係る冷蔵庫１００は、冷却器１１へ流す冷媒の流量の制御を容易とすることができ、冷蔵室１内の温度の制御も容易となる。
【００２７】
冷蔵庫１００の運転を続けていると、冷却器１１に霜が付着する。このため、冷蔵庫１００は、冷却器１１に付着した霜を溶かす霜取ヒータ１２を備えている。霜取ヒータ１２への通電は、制御基板１６によって制御される。また、冷蔵庫１００は、冷却器１１の霜取りによって発生した水を受けるドレンパン１３を備えている。このドレンパン１３は、筐体９０の下部に形成された機械室９２に設置されている。機械室９２には、圧縮機１４も設置されている。このため、機械室９２内は、比較的高温となっている。したがって、ドレンパン１３に排出された水は、蒸発していく。
【００２８】
次に、ダンパー装置９の詳細について説明する。
【００２９】
図３は、本発明の実施の形態に係る冷蔵庫のダンパー装置を前方左側から見た分解斜視図である。すなわち、図３は、冷蔵庫１００の前方左側からダンパー装置９を見た分解斜視図である。図４は、本発明の実施の形態に係る冷蔵庫のダンパー装置を右側から見た縦断面図である。すなわち、図４では、紙面左側が冷蔵庫１００の前側でありダンパー装置９の前側となっており、紙面右側が冷蔵庫１００の後ろ側でありダンパー装置９の後ろ側となっている。なお、図４（ａ）は、第１風路４７が開かれているダンパー装置９の状態を示している。図４（ｂ）は、第１風路４７が閉じられているダンパー装置９の状態を示している。また、図５は、本発明の実施の形態に係る冷蔵庫のダンパー装置を後方右側から見た斜視図である。すなわち、図５は、冷蔵庫１００の後方右側からダンパー装置９を見た斜視図である。なお、以下では、冷蔵庫１００の構成の前後方向及び左右方向を記載する場合、当該構成が冷蔵庫１００に設置された状態の方向を示すものとする。
【００３０】
ダンパー装置９は、駆動部３９、フレーム部４０及びバッフル４５を備えている。駆動部３９の筐体とフレーム部４０とは、ネジ４１で締結されている。駆動部３９は、例えばステッピングモータであるモータ４２と、モータ４２の回転を減速する複数のギア４３とを備えている。また、駆動部３９は、複数のギア４３のうちの１つと接続され、複数のギア４３で減速後のモータ４２の回転を出力するドライビングピン４４を備えている。このドライビングピン４４は、バッフル４５の横方向端部のうちの一方に接続されている。すなわち、駆動部３９は、モータ４２の駆動力によってバッフル４５を動作させるものである。
【００３１】
フレーム部４０には、貫通孔である第１風路４７が形成されている。この第１風路４７は、冷却器室９１と風路部品２１の風路２４とを連通する風路である。すなわち、第１風路４７は、冷却器室９１から冷蔵室１に空気を供給する風路の一部を構成する。また、フレーム部４０は、第１風路４７の周縁部に、上方へ突出したリブ４８を備えている。
【００３２】
バッフル４５は、第１風路４７を開閉するものであり、フレーム部４０の第１風路４７の上方に配置されている。バッフル４５の横方向端部のうちの一方は、上述のように、駆動部３９のドライビングピン４４と接続されている。また、バッフル４５の横方向端部のうちの他方は、フレーム部４０に回転自在に接続されている。バッフル４５の横方向端部のうちの他方の回転中心は、ドライビングピン４４の中心軸と同軸上に配置されている。このため、バッフル４５は、駆動部３９のモータ４２の駆動力により、ドライビングピン４４の中心軸を中心として、揺動可能となっている。
【００３３】
バッフル４５は、一方の面に、シール材４６を備えている。シール材４６は、例えば、水をほとんど含水しないポリエチレン製のシール材である。図４（ｂ）に示すように、バッフル４５が第１風路４７に近づくように回転すると、シール材４６が第１風路４７周縁のリブ４８に、上方から接触する。これにより、第１風路４７が閉じられ、冷却器室９１から冷蔵室１へ空気を供給する風路も閉じられることとなる。また、図４（ａ）に示すように、バッフル４５が第１風路４７から離れるように回転すると、シール材４６が第１風路４７周縁のリブ４８から離れる。これにより、第１風路４７が開かれ、冷却器室９１から冷蔵室１へ空気を供給する風路も開かれることとなる。
【００３４】
ここで、上述のように、ダンパー装置９の駆動部３９は、モータ４２の駆動力によってバッフル４５を動作させる。このため、モータ４２への電力供給及びモータ４２への制御信号の送信等を行うため、ダンパー装置９の駆動部３９にリード線を接続する必要がある。したがって、ダンパー装置９は、後述のリード線６８を備えている。図５に示すように、駆動部３９は、右側後部の上部に、接続部４９を備えている。後述のリード線６８は、この接続部４９に、例えばコネクタを用いて接続される。
【００３５】
なお、本実施の形態に係るダンパー装置９は、貯蔵室に連通する風路として、冷蔵室１と連通する第１風路４７のみが形成されたダンパー装置となっていた。すなわち、本実施の形態に係るダンパー装置９は、所謂シングルタイプのダンパー装置となっていた。しかしながら、従来のダンパー装置には、異なる貯蔵室に連通する２つの風路が形成され、独立して動作する２つのバッフルで各風路を開閉するダンパー装置も存在する。すなわち、従来のダンパー装置には、所謂ツインタイプのダンパー装置も存在する。本実施の形態に係るダンパー装置９は、このようなツインタイプのダンパー装置であってもよい。ダンパー装置９がツインタイプの場合、ダンパー装置９によって、冷蔵室１へ供給される冷気の量に加え、冷蔵室１以外の他の貯蔵室へ供給される冷気の量を調整することも可能となる。
【００３６】
続いて、ダンパー装置９の設置構成について説明する。
仕切部品３５は、上面の前側部分が冷蔵室１の下面を構成する。ダンパー装置９は、仕切部品３５における冷蔵室１の下面を構成する箇所の後方に、該ダンパー装置９の下部が埋め込まれるように設置される。なお、本実施の形態では、ダンパー装置９と該ダンパー装置９の上部に設置される断熱部品５９とを、ダンパー装置部ＡＳＳＹ６４として事前に組み立てている。そして、このダンパー装置部ＡＳＳＹ６４を仕切部品３５に取り付けている。したがって、以下では、まずダンパー装置部ＡＳＳＹ６４について説明する。そして、その後に、ダンパー装置部ＡＳＳＹ６４の仕切部品３５への取り付け方について説明する。
【００３７】
図６は、本発明の実施の形態に係る冷蔵庫のダンパー装置部ＡＳＳＹを後方右側から見た分解斜視図である。また、図７は、本発明の実施の形態に係る冷蔵庫のダンパー装置部ＡＳＳＹを前方左側から見た斜視図である。
断熱部品５９は、例えば発泡スチレン等の断熱材で形成された部品である。断熱部品５９は、ダンパー装置９を上方から覆うように、ダンパー装置９に組み合わされている。この断熱部品５９には、第２風路５５ａが形成されている。第２風路５５ａは、ダンパー装置９の第１風路４７の上方となり、風路部品２１の風路２４の下方となる位置に配置されることとなる。そして、第２風路５５ａは、ダンパー装置９の第１風路４７及び風路部品２１の風路２４と連通し、冷却器室９１から冷蔵室１に空気を供給する風路の一部を構成することとなる。なお、断熱部品５９には、風路部品２１の後述の風路８０と連通する風路５６ａも形成されている。すなわち、風路５６ａは、冷却器室９１からチルド室１７に空気を供給する風路の一部を構成する。
【００３８】
図８は、本発明に係る冷蔵庫の仕切部品及びダンパー装置部ＡＳＳＹを前方右側から見た分解斜視図である。図９及び図１０は、本発明に係る冷蔵庫の仕切部品の一部及びダンパー装置部ＡＳＳＹを前方左側から見た分解斜視図である。図１１は、本発明に係る冷蔵庫の仕切部品の一部及びダンパー装置部ＡＳＳＹを前方左側から見た斜視図である。また、図１２は、本発明に係る冷蔵庫の仕切部品の一部及びダンパー装置部ＡＳＳＹを右側から見た縦断面図である。
【００３９】
仕切部品３５は、上側部材５０、下側部材５１及び断熱部品５４を備えている。上側部材５０は、例えば樹脂で形成されており、仕切部品３５の上面部を構成する部材である。換言すると、上側部材５０の上面の前側部分は、冷蔵室１の下面を構成する。下側部材５１は、例えば樹脂で形成されており、仕切部品３５の下面部を構成する部材である。断熱部品５４は、例えば発泡スチレン等の断熱材で形成されている。平面視において、この断熱部品５４は、仕切部品３５における冷蔵室１の下面を構成する箇所の後方で、上側部材５０と下側部材５１との間に配置されている。上側部材５０と下側部材５１とは、断熱部品５４を挟み込んだ状態で、ネジ４１で固定されている。仕切部品３５は、筐体９０に取り付けられる前の状態においては、内部が空洞となっている。そして、仕切部品３５が筐体９０の内箱５２へ取り付けられ、内箱５２と外箱５３との間に断熱材３４が発泡充填された際、側面に形成された貫通穴から仕切部品３５の内部に断熱材３４が充填発泡される。
【００４０】
断熱部品５４には、上部が開口した凹部８１が形成されている。また、上側部材５０における凹部８１と対向する範囲には、開口部が形成されている。凹部８１は、例えば、左右方向の略中央部に形成されている。そして、凹部８１には、ダンパー装置９の下部部分が収納されている。また、本実施の形態では、凹部８１に、断熱部品５９の下部部分も収納されている。詳しくは、凹部８１の底部のうち、断熱部品５９の下部部分と対向する範囲に、シール材５８が貼り付けられている。この状態において、ダンパー装置部ＡＳＳＹ６４の下部部分が、すなわち、ダンパー装置９の下部部分及び断熱部品５９の下部部分が凹部８１に収納されている。なお、仕切部品３５の上側部材５０は、冷蔵室１内でこぼれた水が凹部８１に侵入することを抑制するため、該凹部８１の前方に、上方へ突出する堰堤６９を備えている。
【００４１】
また、凹部８１には、風路５５ｂ及び風路５６ｂが形成されている。そして、下側部材５１における風路５５ｂ及び風路５６ｂと対向する範囲には、開口部が形成されている。風路５５ｂは、ダンパー装置９の第１風路４７の下方となり、冷却器室９１の上方となる位置に配置されている。そして、風路５５ｂは、ダンパー装置９の第１風路４７及び冷却器室９１と連通し、冷却器室９１から冷蔵室１に空気を供給する風路の一部を構成している。また、風路５６ｂは、断熱部品５９の風路５６ａの下方となり、冷却器室９１の上方となる位置に配置されている。そして、風路５６ｂは、断熱部品５９の風路５６ａ及び冷却器室９１と連通し、冷却器室９１からチルド室１７に空気を供給する風路の一部を構成している。
【００４２】
また、断熱部品５４には、冷蔵室１から冷却器室９１へ冷気を戻す戻り風路の一部である風路５７も形成されている。風路５７は、例えば、凹部８１の右側に形成されている。風路５７が上側部材５０で塞がれないよう、上側部材５０の風路５７と対向する箇所には、スリット状の開口部６５が形成されている。また、風路５７が下側部材５１で塞がれないよう、下側部材５１の風路５７と対向する箇所にも、開口部が形成されている。
【００４３】
仕切部品３５の凹部８１に下部が収納されたダンパー装置部ＡＳＳＹ６４には、上方から、例えば樹脂製のカバー６０が被せられている。カバー６０は、上部に開口部が形成されており、ダンパー装置部ＡＳＳＹ６４の断熱部品５９の第２風路５５ａ及び風路５６ａを塞がないように、断熱部品５９の上面部の外周縁を覆っている。また、断熱部品５９の上面部には、カバー６０で覆われていない範囲に、第２シール材６３が貼り付けられている。第２シール材６３には、断熱部品５９の第２風路５５ａ及び風路５６ａを塞がないように、第２風路５５ａ及び風路５６ａと対向する箇所に開口部が形成されている。カバー６０を仕切部品３５の上側部材５０にネジ４１で固定することにより、ダンパー装置部ＡＳＳＹ６４が固定されている。
【００４４】
このように仕切部品３５にダンパー装置９を埋め込んで設置することにより、冷蔵室１の容積を拡大することができる。一方、図１２に示すように、このように仕切部品３５にダンパー装置９を埋め込んで設置することにより、バッフル４５が第１風路４７を閉じている状態においては、バッフル４５のシール材４６と第１風路４７周縁のリブ４８との接触部分は、堰堤６９よりも下方に配置されることとなる。
【００４５】
仕切部品３５には、ダンパー装置９の駆動部３９及び図示せぬヒータ等の電装品が取り付けられている。このため、仕切部品３５の後方左側には、これらの電装品のリード線の端部を収納する収納部６２が設けられている。例えば、ダンパー装置９の駆動部３９に接続された後述のリード線６８のうち、駆動部３９の接続部４９に接続される側の端部を第１端部６８ａとし、第１端部６８ａとは反対側の端部を第２端部６８ｂとする。この場合、リード線６８の第２端部６８ｂが、収納部６２に収納されている。なお、リード線６８の第１端部６８ａについては、図６も参照されたい。また、リード線６８の第２端部６８ｂについては、後述の図１５も参照されたい。
【００４６】
続いて、ダンパー装置部ＡＳＳＹ６４が取り付けられた仕切部品３５の筐体９０への取り付け方について説明する。
【００４７】
図１３は、本発明の実施の形態に係る冷蔵庫の筐体及び仕切部品を前方右側から見た斜視図であり、筐体に仕切部品を固定する前の状態を示す図である。図１４は、図１３に示すＡ部の平面図である。また、図１５は、本発明の実施の形態に係る冷蔵庫の仕切部品の収納部近傍を前方右側から見た斜視図であり、筐体に仕切部品を固定した後の状態を示す図である。なお、上述のように、仕切部品３５の収納部６２には、仕切部品３５に取り付けられた電装品に接続されているリード線の端部が収納されている。図１４及び図１５では、収納部６２に収納されているこれらのリード線を、リード線６６として示している。すなわち、リード線６６の一部が、ダンパー装置９の駆動部３９に接続されているリード線６８である。また、当該リード線６８の収納部６２に収納されている側の端部が、第２端部６８ｂである。
【００４８】
仕切部品３５を筐体９０への取り付ける際、まず、筐体９０の所定の位置に仕切部品３５を固定する。筐体９０の内箱５２には、仕切部品３５の収納部６２近傍となる位置から、一端が制御基板１６等と接続される本体リード線６１の他端が露出している。筐体９０の所定の位置に仕切部品３５を固定した後、仕切部品３５の収納部６２に収納されているリード線６６と、本体リード線６１とを、例えばコネクタを用いて接続する。
【００４９】
具体的には、収納部６２の上面部は、蓋６７で開閉自在に塞がれている。このため、リード線６６と本体リード線６１とを接続する際、まず、蓋６７を開いて、収納部６２からリード線６６を取り出す。そして、リード線６６と本体リード線６１とを、例えばコネクタを用いて接続する。その後、リード線６６を収納部６２へ再度収納し、蓋６７を閉じる。なお、本実施の形態では、蓋６７は、前側の端部を支点として、揺動自在となっている。
【００５０】
続いて、ダンパー装置９の駆動部３９に接続されているリード線６８の引き回し方について説明する。
【００５１】
図１６は、本発明に係る冷蔵庫の仕切部品の一部及びダンパー装置部ＡＳＳＹを右側から見た縦断面図である。また、図１７は、本発明の実施の形態に係る冷蔵庫のダンパー装置部ＡＳＳＹを前方左側から見た斜視図である。図１８は、本発明に係る冷蔵庫のダンパー装置部ＡＳＳＹの断熱部品に形成された第２溝近傍の縦断面図である。なお、図１６に示す一点鎖線は、堰堤６９の高さを示している。
【００５２】
仕切部品にダンパー装置を埋め込んで設置した従来の冷蔵庫においては、平面視においてダンパー装置が埋め込まれる凹部内に位置するリード線部分は、堰堤よりも低い箇所に引き回されることがあった。ここで、設定温度が冷蔵温度帯となる貯蔵室の下面を構成する仕切部品にダンパー装置が埋め込まれている場合、当該貯蔵室において水がこぼれた際、貯蔵室内で水が凍結しないため、該水が堰堤を乗り越えやすい。このため、設定温度が冷蔵温度帯となる貯蔵室の下面を構成する仕切部品にダンパー装置が埋め込まれている従来の冷蔵庫においては、堰堤を乗り越えた水がリード線を収納する溝等を伝ってバッフルにおける風路の周縁部と接触する側の面に付着し、バッフルとダンパー装置内の風路の周縁部とが固着し、バッフルが動作不良となる可能性があった。
【００５３】
一方、本実施の形態に係る冷蔵庫１００においては、設定温度が冷蔵温度帯となる冷蔵室１の下面を構成する仕切部品３５にダンパー装置９が埋め込まれているので、冷蔵室１でこぼれた水が堰堤６９を乗り越えやすい。しかしながら、本実施の形態に係る冷蔵庫１００においては、ダンパー装置９の駆動部３９に接続されたリード線６８のうち、平面視において仕切部品３５の凹部８１内に位置する部分は、仕切部品３５の上面に設けられた堰堤６９よりも上方に配置されている。このため、本実施の形態に係る冷蔵庫１００においては、堰堤６９を乗り越えた水がリード線６８を収納する溝を伝ってバッフル４５における第１風路４７周縁のリブ４８と接触する側の面に付着することを、従来よりも抑制できる。したがって、本実施の形態に係る冷蔵庫１００は、凍結によるバッフル４５の動作不良を従来よりも抑制することができる。
【００５４】
具体的には、図１６に示すように、ダンパー装置９が仕切部品３５に固定された状態において、リード線６８の第１端部６８ａが接続される駆動部３９の接続部４９は、堰堤６９よりも高い位置に配置されている。そして、図６、図７及び図１７に示すように、リード線６８のうち、平面視において仕切部品３５の凹部８１内に位置することとなる断熱部品５９に配置されている部分は、堰堤６９よりも高い位置に配置されている。
【００５５】
詳しくは、駆動部３９の接続部４９に接続されている第１端部６８ａから第２端部６８ｂに向かってリード線６８を見ていった際、リード線６８は、次の様に引き回されている。リード線６８は、まず、接続部４９から駆動部３９の上面まで、駆動部３９の側面に沿って延びている。そして、駆動部３９の上面においてリード線６８は、第１風路４７の方へ向かって延びている。なお、本実施の形態では、駆動部３９の側面及び上面に配置されたリード線６８は、ばらけないようにテープ７０で固定されている。
【００５６】
ダンパー装置９の駆動部３９の上面において第１風路４７側の端部まで引き回されたリード線６８は、次のように、ダンパー装置９の上部に組み合わせられる断熱部品５９表面を引き回される。まず、リード線は、断熱部品５９の第２風路５５ａを通って、断熱部品５９の上面部まで延びている。そして、断熱部品５９の上面部に配置されているリード線６８は、第２風路５５ａから上面部の前端部に延び、該前端部に沿って配置されている。具体的には、第１端部６８ａから第２端部６８ｂに向かってリード線６８を見ていった際、断熱部品５９の上面部の前端部に沿って配置されているリード線６８は、左側端部に向かって延びている。断熱部品５９の左側端部は、断熱部品５９がダンパー装置部ＡＳＳＹ６４として仕切部品３５に固定された際、収納部６２側となる端部である。なお、本実施の形態では、断熱部品５９の上面部に配置されているリード線６８は、ばらけないようにテープ７０で固定されている。
【００５７】
さらに詳しくは、断熱部品５９表面においてリード線６８の引き回しが容易になるように、断熱部品５９は、リード線６８が配置される溝を備えている。具体的には、断熱部品５９は、当該溝として、第１溝７１、第２溝７２、及び第３溝７３を備えている。第１溝７１は、平面視において第２風路５５ａの角部となる位置等に、上下方向に第２風路５５ａの内壁部に形成されている。第２溝７２は、断熱部品５９の上面部に形成されている。第２溝７２は、第１溝７１と断熱部品５９の上面部の前端部とに連通している。第３溝７３は、断熱部品５９の上面部の前端部において、該前端部に沿って形成されている。第３溝７３は、第２溝７２と連通している。また、第３溝７３は、上方及び前方に開口している。そして、リード線６８は、第１溝７１、第２溝７２、及び第３溝７３に配置されている。
【００５８】
また、第１溝７１及び第２溝７２の少なくとも一部において、リード線６８と溝の内壁面との間は、第１シール材７４で閉塞されている。図１８に示すように、本実施の形態では、第２溝７２の少なくとも一部において、リード線６８と溝の内壁面との間は、第１シール材７４で閉塞されている。また、本実施の形態では、テープ状の第１シール材７４をリード線６８に巻き付け、第１シール材７４が巻かれたリード線６８部分を第２溝７２内に挿入している。これにより、第２溝７２の少なくとも一部において、リード線６８と溝の内壁面との間は、第１シール材７４で閉塞される。上述のように、断熱部品５９の上面部には、第２シール材６３が貼り付けられる。この第２シール材６３は、第１溝７１及び第２溝７２を上方から覆うように設けられる。第１シール材７４及び第２シール材６３を設けることにより、第１溝７１及び第２溝７２から冷気が漏れ出すことを抑制できる。
【００５９】
上述のリード線６８の駆動部３９及び断熱部品５９への引き回しは、ダンパー装置部ＡＳＳＹ６４を組み立てる際に行われる。このため、駆動部３９及び断熱部品５９にリード線６８が引き回されたダンパー装置部ＡＳＳＹ６４が、仕切部品３５へ取り付けられる。すなわち、図９等に示すように、仕切部品３５の凹部８１の底部にシール材５８を貼り付ける。その後に、リード線６８が引き回されたダンパー装置部ＡＳＳＹ６４の下部を仕切部品３５の凹部８１に挿入する。そして、図１０及び図１１等に示すように、ダンパー装置部ＡＳＳＹ６４の上方から、例えば樹脂製のカバー６０を被せ、カバー６０を仕切部品３５の上側部材５０にネジ４１で固定し、ダンパー装置部ＡＳＳＹ６４を固定する。その後に、断熱部品５９の上面部に、第２シール材６３を貼り付け、リード線６８を確実に固定する。そして、仕切部品３５へダンパー装置部ＡＳＳＹ６４を固定した後、仕切部品３５においてリード線６８を引き回し、第２端部６８ｂを収納部６２へ収納する。
【００６０】
ここで、特許文献１に記載の冷蔵庫においては、ダンパー装置の下部部分を収納する仕切部品の凹部の底部から、駆動部に接続されるリード線が露出している。また、リード線の露出している部分の長さは、ダンパー装置が凹部に収納される前に駆動部にリード線を接続することができる長さとなっている。このため、特許文献１に記載の冷蔵庫においては、仕切部品の凹部の底部にダンパー装置の下部部分を収納した際、リード線は、ダンパー装置の下部と凹部の底部との間に折りたたまれて収納される。この際、特許文献１に記載の冷蔵庫においては、リード線が見えないため、リード線がきちんと折りたたまれて収納されているか確認することができない。
【００６１】
このため、特許文献１に記載の冷蔵庫においては、ダンパー装置と凹部との間にリード線が挟まり、ダンパー装置を正規の位置に設置できない場合があった。また、特許文献１に記載の冷蔵庫においては、ダンパー装置を正規の位置に設置できず、ダンパー装置の上部に取り付ける部品も正規の位置に取り付けられない場合があった。そして、その結果、ダンパー装置周辺から冷気が漏れ出してしまうという場合があった。また、ダンパー装置周辺の隙間から水がダンパー装置内に浸入して凍結し、バッフルが動作不良となってしまう場合があった。また、ダンパー装置と凹部との間にリード線が挟まることにより、リード線が断線してしまう可能性もあった。
【００６２】
一方、本実施の形態に係る冷蔵庫１００においては、リード線６８を上述のように引き回しているので、ダンパー装置部ＡＳＳＹ６４における仕切部品３５の凹部８１に収納される箇所には、リード線６８が配置されない。このため、ダンパー装置部ＡＳＳＹ６４の下部を仕切部品３５の凹部８１に収納した際、リード線６８がダンパー装置部ＡＳＳＹ６４と凹部８１との間に挟まることがない。
【００６３】
また、本実施の形態に係る冷蔵庫１００においては、リード線６８を上述のように引き回しているので、ダンパー装置部ＡＳＳＹ６４の上部にカバー６０及び第２シール材６３等の部品を取り付ける際、リード線６８が正規の位置に配置されているか否かを確認することができる。このため、リード線６８が正規の位置に配置されていない場合、ダンパー装置部ＡＳＳＹ６４の上部に部品を取り付ける前に、リード線６８の配置を事前に修正することができる。したがって、本実施の形態に係る冷蔵庫１００においては、ダンパー装置部ＡＳＳＹ６４の上部に取り付けられる部品を、正規の位置に取り付けることができる。
【００６４】
このため、本実施の形態に係る冷蔵庫１００においては、ダンパー装置部ＡＳＳＹ６４周辺からの冷気漏れ、凍結によるバッフル４５の動作不良、及びリード線６８の断線を従来よりも抑制することができる。
【００６５】
ダンパー装置部ＡＳＳＹ６４の断熱部品５９の上面に設けられた第２シール材６３の上部には、冷蔵室１の背面を構成する風路部品２１が設けられる。最後に、風路部品２１の構成を説明する。
【００６６】
図１９は、本発明の実施の形態に係る冷蔵庫において冷蔵室の背面を構成する風路部品を前方右側から見た斜視図である。図２０は、本発明の実施の形態に係る冷蔵庫において冷蔵室の背面を構成する風路部品を後方右側から見た斜視図である。また、図２１は、本発明の実施の形態に係る冷蔵庫において冷蔵室の背面を構成する風路部品を前方右側から見た分解斜視図である。
【００６７】
風路部品２１は、ネジ及び爪等により、筐体９０に固定される。風路部品２１は、前面側部品７５、第１断熱部品７６及び第２断熱部品７７を備えている。前面側部品７５は、風路部品２１の前面部を構成する部品である。すなわち、前面側部品７５は、冷蔵室１の背面及びチルド室１７の背面を構成する部品である。前面側部品７５における冷蔵室１の背面を構成する箇所には、冷蔵室１内の温度を検出する温度センサ３８が設けられている。前面側部品７５におけるチルド室１７の背面を構成する箇所には、チルド室１７内の温度を検出する温度センサ７８が設けられている。
【００６８】
第１断熱部品７６は、例えば発泡スチレン等の断熱材で形成されており、前面側部品７５の背面に設けられている。第１断熱部品７６には、上下方向に延びる２本の溝が形成されている。これらの溝は、下面及び背面に開口している。第２断熱部品７７は、例えば発泡スチレン等の断熱材で形成されており、第１断熱部品７６の背面に設けられている。第１断熱部品７６に形成された２本の溝の背面側の開口部は、第２断熱部品７７で塞がれている。
【００６９】
これにより、第１断熱部品７６と第２断熱部品７７との間には、下部が開口した２つの風路が形成される。これら２つの風路のうちの１つが、冷却器室９１から冷蔵室１に空気を供給する風路の一部を構成する風路２４となっている。また、これら２つの風路のうちの１つが、冷却器室９１からチルド室１７に空気を供給する風路の一部を構成する風路８０となっている。また、前面側部品７５及び第１断熱部品７６には、冷蔵室１の背面側となる位置に、前面側部品７５の前方と風路２４とを連通する貫通孔が形成されている。当該貫通孔が、冷蔵室１内へ冷気を吹き出す吹出口２２となっている。また、前面側部品７５及び第１断熱部品７６には、チルド室１７の背面側となる位置に、前面側部品７５の前方と風路８０とを連通する貫通孔が形成されている。当該貫通孔が、チルド室１７内へ冷気を吹き出す吹出口２３となっている。
【００７０】
前面側部品７５の下端部には、左右方向へ延び、前方へ突出する覆い部７９が設けられている。この覆い部７９の下面は、前方へ行くほど下降する形状となっている。そして、図１２に示すように、覆い部７９は、風路部品２１がダンパー装置部ＡＳＳＹ６４の上部に取り付けられた際、仕切部品３５の堰堤６９を上方から覆う構成となっている。冷蔵室１の左扉６及び右扉７を開いた際に湿度の高い空気が冷蔵室１内に流入すると、前面側部品７５の前面に露付きが発生する場合がある。覆い部７９を備えることにより、前面側部品７５の前面に付着した露が下方に垂れていった場合でも、ダンパー装置９側へ露が侵入することを抑制でき、凍結によるバッフル４５の動作不良を抑制できる。
【００７１】
以上、本実施の形態に係る冷蔵庫１００は、冷蔵室１と、上面の一部が冷蔵室１の下面を構成する仕切部品３５と、冷蔵室１に空気を供給する風路を開閉するダンパー装置９と、を備えている。仕切部品３５は、冷蔵室１の下面を構成する箇所の後方に、上部が開口しておりダンパー装置９の下部部分を収納する凹部８１が形成されている。また、仕切部品３５は、凹部８１の前方に、上方へ突出する堰堤６９を備えている。ダンパー装置９は、冷蔵庫１００に空気を供給する風路の一部である第１風路４７が形成されている。また、ダンパー装置９は、第１風路４７を開閉するバッフル４５を備えている。また、ダンパー装置９は、モータ４２を有し、該モータ４２の駆動力によってバッフル４５を動作させる駆動部３９を備えている。また、ダンパー装置９は、駆動部３９に接続されたリード線６８を備えている。バッフル４５が第１風路４７の周縁部であるリブ４８に上方から接触し、第１風路４７を閉じる。また、バッフル４５が第１風路４７を閉じている状態においては、バッフル４５とリブ４８との接触部分は、堰堤６９よりも下方に配置されている。そして、リード線６８のうち、平面視において凹部８１内に位置する部分は、堰堤６９よりも上方に配置されている。
【００７２】
このため、本実施の形態に係る冷蔵庫１００においては、堰堤６９を乗り越えた水がリード線６８を収納する溝を伝ってバッフル４５における第１風路４７周縁のリブ４８と接触する側の面に付着することを、従来よりも抑制できる。したがって、本実施の形態に係る冷蔵庫１００は、凍結によるバッフル４５の動作不良を従来よりも抑制することができる。
【００７３】
なお、本実施の形態では、冷蔵室１に冷気を供給する風路を開閉するダンパー装置９について説明した。しかしながら、冷蔵室１以外でも設定温度が冷蔵温度帯となる貯蔵室があり、当該貯蔵室に冷気を供給する風路を開閉するダンパー装置も、当該貯蔵室の下面を構成する仕切壁に埋め込まれて設置される場合がある。このダンパー装置の駆動部に接続されるリード線を上述のように引き回すことによっても、上述の効果を得ることができる。
【符号の説明】
【００７４】
１  冷蔵室、２  製氷室、３  小型冷凍室、４  冷凍室、５  野菜室、６  左扉、７  右扉、８  仕切板、９  ダンパー装置、１０  庫内ファン、１１  冷却器、１２  霜取ヒータ、１３  ドレンパン、１４  圧縮機、１５  ファングリル、１６  制御基板、１７  チルド室、１８  ケース、１９  棚、２０  ポケット、２１  風路部品、２２  吹出口、２３  吹出口、２４  風路、２５  ケース、２６  上ケース、２７  下ケース、２８  上ケース、２９  下ケース、３０  扉、３１  扉、３２  扉、３３  扉、３４  断熱材、３５  仕切部品、３６  仕切部品、３７  仕切部品、３８  温度センサ、３９  駆動部、４０  フレーム部、４１  ネジ、４２  モータ、４３  ギア、４４  ドライビングピン、４５  バッフル、４６  シール材、４７  第１風路、４８  リブ、４９  接続部、５０  上側部材、５１  下側部材、５２  内箱、５３  外箱、５４  断熱部品、５５ａ  第２風路、５５ｂ  風路、５６ａ  風路、５６ｂ  風路、５７  風路、５８  シール材、５９  断熱部品、６０  カバー、６１  本体リード線、６２  収納部、６３  第２シール材、６４  ダンパー装置部ＡＳＳＹ、６５  開口部、６６  リード線、６７  蓋、６８  リード線、６８ａ  第１端部、６８ｂ  第２端部、６９  堰堤、７０  テープ、７１  第１溝、７２  第２溝、７３  第３溝、７４  第１シール材、７５  前面側部品、７６  第１断熱部品、７７  第２断熱部品、７８  温度センサ、７９  覆い部、８０  風路、８１  凹部、９０  筐体、９１  冷却器室、９２  機械室、１００  冷蔵庫。
【図１】
0006956886.tif 000002
【図２】
0006956886.tif 000003
【図３】
0006956886.tif 000004
【図４】
0006956886.tif 000005
【図５】
0006956886.tif 000006
【図６】
0006956886.tif 000007
【図７】
0006956886.tif 000008
【図８】
0006956886.tif 000009
【図９】
0006956886.tif 000010
【図１０】
0006956886.tif 000011
【図１１】
0006956886.tif 000012
【図１２】
0006956886.tif 000013
【図１３】
0006956886.tif 000014
【図１４】
0006956886.tif 000015
【図１５】
0006956886.tif 000016
【図１６】
0006956886.tif 000017
【図１７】
0006956886.tif 000018
【図１８】
0006956886.tif 000019
【図１９】
0006956886.tif 000020
【図２０】
0006956886.tif 000021
【図２１】
0006956886.tif 000022